(57)【要約】【課題】  ＩＰ用電話番号にかけて通話することができなくても、公衆網用電話番号に自動的にかけなおすことが可能なＡＤＳＬモデムを提供する。【解決手段】  制御回路１１はユーザが発信したＩＰ用電話番号をダイヤルメモリ回路１４に格納する。制御回路１１はＳＩＰ制御回路１３の指示によって、ＩＰ用電話番号で発信したＩＮＶＩＴＥメッセージに対するレスポンスをチェックし、レスポンス値が所定値であれば、発信したＩＰ用電話番号がダイヤルメモリ回路１４内に格納されているかをチェックする。制御回路１１はダイヤルメモリ回路１４内にＩＰ用電話番号を見つけた場合、ＩＰ電話番号と対応付けて格納されている公衆網用電話番号のエリアに格納されている公衆網用電話番号で発信する。【選択図】      図１                                                  
2005244377.tif 000002
【特許請求の範囲】
【請求項１】
アナログ回線を共用するＡＤＳＬ（Ａｓｙｍｍｅｔｒｉｃ  Ｄｉｇｉｔａｌ  Ｓｕｂｓｃｒｉｂｅｒ  Ｌｉｎｅ）回線サービスを利用するＩＰ電話サービスを提供するＡＤＳＬモデム装置であって、
通話先のＩＰ（Ｉｎｔｅｒｎｅｔ  Ｐｒｏｔｏｃｏｌ）用電話番号と当該通話先の公衆網用電話番号とを対応付けて設定する設定手段と、前記ＩＰ用電話番号による前記通話先との通話が不可の時に当該公衆網用電話番号による前記通話先への発信を行う発信手段とを有することを特徴とするＡＤＳＬモデム装置。
【請求項２】
前記設定手段は、前記ＩＰ用電話番号による前記通話先との通話終了時に当該ＩＰ用電話番号に対応する公衆網用電話番号の自装置への入力を促すメッセージを外部に表示することを特徴とする請求項１記載のＡＤＳＬモデム装置。
【請求項３】
前記発信手段は、前記ＩＰ用電話番号で発信した通話先からのレスポンス値が所定値の時に当該ＩＰ用電話番号に対応する公衆網用電話番号にて前記通話先への発信を行うことを特徴とする請求項１または請求項２記載のＡＤＳＬモデム装置。
【請求項４】
前記レスポンス値を基に前記ＩＰ用電話番号による前記通話先との通話が不可の要因を判別することを特徴とする請求項１から請求項３のいずれか記載のＡＤＳＬモデム装置。
【請求項５】
アナログ回線を共用するＡＤＳＬ（Ａｓｙｍｍｅｔｒｉｃ  Ｄｉｇｉｔａｌ  Ｓｕｂｓｃｒｉｂｅｒ  Ｌｉｎｅ）回線サービスを利用するＩＰ電話サービスを提供するＡＤＳＬモデム装置においてＩＰ電話サービスを提供するＩＰ電話サービス方法であって、前記ＡＤＳＬモデム装置側に、通話先のＩＰ（Ｉｎｔｅｒｎｅｔ  Ｐｒｏｔｏｃｏｌ）用電話番号と当該通話先の公衆網用電話番号とを対応付けて電話番号の設定を行うステップと、前記ＩＰ用電話番号による前記通話先との通話が不可の時に当該公衆網用電話番号による前記通話先への発信を行うステップとを有することを特徴とするＩＰ電話サービス方法。
【請求項６】
前記電話番号の設定を行うステップは、前記ＩＰ用電話番号による前記通話先との通話終了時に当該ＩＰ用電話番号に対応する公衆網用電話番号の自装置への入力を促すメッセージを外部に表示するステップを含むことを特徴とする請求項５記載のＩＰ電話サービス方法。
【請求項７】
前記発信を行うステップは、前記ＩＰ用電話番号で発信した通話先からのレスポンス値が所定値の時に当該ＩＰ用電話番号に対応する公衆網用電話番号にて前記通話先への発信を行うことを特徴とする請求項５または請求項６記載のＩＰ電話サービス方法。
【請求項８】
前記レスポンス値を基に前記ＩＰ用電話番号による前記通話先との通話が不可の要因を判別することを特徴とする請求項５から請求項７のいずれか記載のＩＰ電話サービス方法。
【請求項９】
アナログ回線を共用するＡＤＳＬ（Ａｓｙｍｍｅｔｒｉｃ  Ｄｉｇｉｔａｌ  Ｓｕｂｓｃｒｉｂｅｒ  Ｌｉｎｅ）回線サービスを利用するＩＰ電話サービスを提供するＡＤＳＬモデム装置においてＩＰ電話サービスを提供するＩＰ電話サービス方法のプログラムであって、コンピュータに、通話先のＩＰ（Ｉｎｔｅｒｎｅｔ  Ｐｒｏｔｏｃｏｌ）用電話番号と当該通話先の公衆網用電話番号とを対応付けて電話番号の設定を行う処理と、前記ＩＰ用電話番号による前記通話先との通話が不可の時に当該公衆網用電話番号による前記通話先への発信を行う処理とを実行させるためのプログラム。
【発明の詳細な説明】
【技術分野】
【０００１】
本発明はＡＤＳＬモデム装置及びそれに用いるＩＰ電話サービス方法並びにそのプログラムに関し、特にアナログ回線を共用するＡＤＳＬ（Ａｓｙｍｍｅｔｒｉｃ  Ｄｉｇｉｔａｌ  Ｓｕｂｓｃｒｉｂｅｒ  Ｌｉｎｅ）回線サービスを利用するＩＰ（Ｉｎｔｅｒｎｅｔ  Ｐｒｏｔｏｃｏｌ）電話サービス方法に関する。
【背景技術】
【０００２】
近年、ＰＣ（パーソナルコンピュータ）やインタネットの普及に伴って、ＡＤＳＬやＦＴＴＨ等のブロードバンド回線が普及している。このブロードバンド回線の普及によって、インタネットを介して大容量の音楽や映像等の送受信が可能となってきている。また、上記のブロードバンド回線を介して音声通話を行うＩＰ電話サービスも普及してきている（例えば、特許文献１，２参照）。
【０００３】
アナログ回線を共用するＡＤＳＬ回線においてＩＰ電話サービスを利用して通話したい相手が公衆網用電話番号とＩＰ用電話番号とを持っている場合には、ＩＰ用電話番号で発信すると、通話したい相手がレジストリ登録に失敗して使用できなかったり、停電のために使用することができなかったりすると、公衆網用電話番号を調べてかけなおさなければならなず、ユーザにとって煩雑な処理となる。
【０００４】
また、ＩＰ用電話番号で発信して通話することができなかった場合には、通話したい相手が、使用中によるビジーが要因で通話することができないのか、ＩＰ電話の使用不可が要因で通話することができないのかを、通信ログを検証しなければ判断することができない。
【０００５】
【特許文献１】特開２００３−２６４６４４
【特許文献２】特開２００３−２７４０１４
【発明の開示】
【発明が解決しようとする課題】
【０００６】
上述した従来のＩＰ電話サービスでは、アナログ回線を共用するＡＤＳＬ回線においてＩＰ電話サービスを利用する相手が公衆網用電話番号とＩＰ用電話番号とを持っている場合、通話したい相手のＩＰ用電話番号に発信してレジストリ登録に失敗して使用することができない時や、停電のために使用することができない時、その発呼を一旦切断して公衆網用電話番号を調べてかけなおさなければならないという問題がある。
【０００７】
そこで、本発明の目的は上記の問題点を解消し、ＩＰ用電話番号にかけて通話することができなくても、公衆網用電話番号に自動的にかけなおすことができるＡＤＳＬモデム装置及びそれに用いるＩＰ電話サービス方法並びにそのプログラムを提供することにある。
【課題を解決するための手段】
【０００８】
本発明によるＡＤＳＬモデム装置は、アナログ回線を共用するＡＤＳＬ（Ａｓｙｍｍｅｔｒｉｃ  Ｄｉｇｉｔａｌ  Ｓｕｂｓｃｒｉｂｅｒ  Ｌｉｎｅ）回線サービスを利用するＩＰ電話サービスを提供するＡＤＳＬモデム装置であって、
通話先のＩＰ（Ｉｎｔｅｒｎｅｔ  Ｐｒｏｔｏｃｏｌ）用電話番号と当該通話先の公衆網用電話番号とを対応付けて設定する設定手段と、前記ＩＰ用電話番号による前記通話先との通話が不可の時に当該公衆網用電話番号による前記通話先への発信を行う発信手段とを備えている。
【０００９】
本発明によるＩＰ電話サービス方法は、アナログ回線を共用するＡＤＳＬ（Ａｓｙｍｍｅｔｒｉｃ  Ｄｉｇｉｔａｌ  Ｓｕｂｓｃｒｉｂｅｒ  Ｌｉｎｅ）回線サービスを利用するＩＰ電話サービスを提供するＡＤＳＬモデム装置においてＩＰ電話サービスを提供するＩＰ電話サービス方法であって、前記ＡＤＳＬモデム装置側に、通話先のＩＰ（Ｉｎｔｅｒｎｅｔ  Ｐｒｏｔｏｃｏｌ）用電話番号と当該通話先の公衆網用電話番号とを対応付けて電話番号の設定を行うステップと、前記ＩＰ用電話番号による前記通話先との通話が不可の時に当該公衆網用電話番号による前記通話先への発信を行うステップとを備えている。
【００１０】
本発明によるＩＰ電話サービス方法のプログラムは、アナログ回線を共用するＡＤＳＬ（Ａｓｙｍｍｅｔｒｉｃ  Ｄｉｇｉｔａｌ  Ｓｕｂｓｃｒｉｂｅｒ  Ｌｉｎｅ）回線サービスを利用するＩＰ電話サービスを提供するＡＤＳＬモデム装置においてＩＰ電話サービスを提供するＩＰ電話サービス方法のプログラムであって、コンピュータに、通話先のＩＰ（Ｉｎｔｅｒｎｅｔ  Ｐｒｏｔｏｃｏｌ）用電話番号と当該通話先の公衆網用電話番号とを対応付けて電話番号の設定を行う処理と、前記ＩＰ用電話番号による前記通話先との通話が不可の時に当該公衆網用電話番号による前記通話先への発信を行う処理とを実行させている。
【００１１】
すなわち、本発明のＩＰ電話サービス方法は、通話したい相手のＩＰ（Ｉｎｔｅｒｎｅｔ  Ｐｒｏｔｏｃｏｌ）用電話番号に発信して通話したい相手がレジストリ登録に失敗して使用することができない時や、停電のために使用することができない時に、公衆網用電話番号とＩＰ用電話番号とを対応付けて設定しておくことによって、ＩＰ用電話番号にかけて通話することができなくても、公衆網用電話番号に自動的にかけなおすことで、ユーザの手間を省き、効率的にすることが可能となる。
【００１２】
また、本発明のＩＰ電話サービス方法は、ＩＰ用電話番号で発信したＩＮＶＩＴＥに対するレスポンス値を検証することによって、通話したい相手が使用中でビジーが要因で通話することができないのか、ＩＰ電話の使用不可が要因で通話することができないのかを自動的に判断することが可能となる。
【００１３】
より具体的に説明すると、本発明のＩＰ電話サービス方法では、アナログ回線を共用するＡＤＳＬ（Ａｓｙｍｍｅｔｒｉｃ  Ｄｉｇｉｔａｌ  Ｓｕｂｓｃｒｉｂｅｒ  Ｌｉｎｅ）回線サービスを利用するＩＰ電話サービスを用い、回線の状態を監視して制御回路の指示に応じてＳＬＩＣ（Ｓｕｂｓｃｒｉｂｅｒ  Ｌｉｎｅ  Ｉｎｔｅｒｆａｃｅ  Ｃｉｒｃｕｉｔ）制御や回線制御を行う回線制御回路と、ＳＩＰ（Ｓｅｓｓｉｏｎ  Ｉｎｉｔｉａｔｉｏｎ  Ｐｒｏｔｏｃｏｌ）を制御するＳＩＰ制御回路と、ＳＩＰプロトロルに準拠したＩＰサービスを利用するＩＰ用電話番号と公衆網用電話番号とを対応付けて格納するダイヤルメモリ回路と、ユーザが各設定を行うボタンと、ボタンやキー操作を制御するキー入力制御回路と、ＬＣＤ（Ｌｉｑｕｉｄ  Ｃｒｙｓｔａｌ  Ｄｉｓｐｌａｙ）表示を制御するＬＣＤ制御回路と、ユーザに操作を促すメッセージを表示するＬＣＤと、すべての制御を行う制御回路とをＡＤＳＬモデム装置に備えている。
【００１４】
このＡＤＳＬモデム装置はＩＰ用電話番号と公衆網用電話番号を対応付けて格納する手段と、自動発信モードをＯＮに設定した時にＩＰ用電話番号で発信しても利用することができなければ発信者番号情報を格納しているダイヤルメモリ回路に設定されているＩＰ用電話番号から対応する公衆網用電話番号を読出して公衆網へ発信する手段とを備えている。
【００１５】
これによって、本発明のＩＰ電話サービス方法では、通話したい相手がレジストリ登録に失敗して使用することができない時や、停電のために使用することができない時、公衆網用電話番号を調べてかけなおすことなく、自動的に公衆網用電話番号に発呼することが可能となる。
【００１６】
また、本発明のＩＰ電話サービス方法では、通話したい相手が、使用中でのビジーが要因で通話することができないのか、ＩＰ電話の使用不可が要因で通話できないのかを、通信ログを検証することなく、自動的に判断することが可能となる。
【発明の効果】
【００１７】
本発明は、以下に述べるような構成及び動作とすることで、ＩＰ用電話番号にかけて通話することができなくても、公衆網用電話番号に自動的にかけなおすことができるＡＤＳＬモデム及びそれに用いるＩＰ電話サービス方法並びにそのプログラムを提供するという効果が得られる。
【発明を実施するための最良の形態】
【００１８】
次に、本発明の実施例について図面を参照して説明する。図１は本発明の一実施例によるＡＤＳＬ（Ａｓｙｍｍｅｔｒｉｃ  Ｄｉｇｉｔａｌ  Ｓｕｂｓｃｒｉｂｅｒ  Ｌｉｎｅ）モデムの構成例を示すブロック図である。図１において、ＡＤＳＬモデム１は制御回路１１と、ＳＬＩＣ（Ｓｕｂｓｃｒｉｂｅｒ  Ｌｉｎｅ  Ｉｎｔｅｒｆａｃｅ  Ｃｉｒｃｕｉｔ）制御回路１２と、ＳＩＰ（Ｓｅｓｓｉｏｎ  Ｉｎｉｔｉａｔｉｏｎ  Ｐｒｏｔｏｃｏｌ）制御回路１３と、ダイヤルメモリ回路１４と、ボタン１５と、キー入力制御回路１６と、ＬＣＤ（Ｌｉｑｕｉｄ  Ｃｒｙｓｔａｌ  Ｄｉｓｐｌａｙ）制御回路１７と、ＬＣＤ１８と、記録媒体１９とから構成されている。
【００１９】
制御回路１１は記録媒体１９に格納されたプログラム（コンピュータで実行可能なプログラム）を実行することで、上記の各回路すべての制御を行う。ＳＬＩＣ制御回路１２はＩＰ（Ｉｎｔｅｒｎｅｔ  Ｐｒｏｔｏｃｏｌ）電話サービスを利用して回線の状態を監視してＳＬＩＣ制御や回線制御を行う。
【００２０】
ＳＩＰ制御回路１３はＳＩＰを制御し、ダイヤルメモリ回路１４はＳＩＰプロトロルに準拠したＩＰサービスを利用するＩＰ用電話番号と公衆網用電話番号とを対応付けて格納する。
【００２１】
ボタン１５はユーザが各種設定を行うためのキーである。キー入力制御回路１６はボタン１５やキー操作を制御し、ＬＣＤ制御回路１７はユーザに操作を促すメッセージを表示するＬＣＤ１８におけるＬＣＤ表示を制御する。
【００２２】
図２は図１のダイヤルメモリ回路１４内の格納状態を示す図である。図４において、ダイヤルメモリ回路１４は格納領域１４ａ，１４ｂを備えており、格納領域１４ａには氏名（「中山」，「鈴木」，「田中」，・・・）と、ＩＰ用電話番号（「０５０１１１１１１１１」，「０５０２２２２２２２２」，「０５０３３３３３３３３」，・・・）と、公衆網用電話番号（「０４７１１１１１１１」，「０４７２２２２２２２」，「０４７３３３３３３３」，・・・）とが格納されており、格納領域１４ｂには発信番号情報（「０５０４４４４４４４４」）が格納されている。
【００２３】
図３は本発明の一実施例によるＡＤＳＬモデム１の発信者番号情報設定の動作を示すフローチャートであり、図４は本発明の一実施例によるＡＤＳＬモデム１の自動発信モードＯＮ時の動作を示すフローチャートである。これら図１〜図４を参照して本発明の一実施例によるＡＤＳＬモデム１の動作について説明する。尚、図３及び図４に示す処理は制御回路１１が記録媒体１９のプログラムを実行することで実現される。
【００２４】
ＡＤＳＬモデム１の制御回路１１は発信したＩＰ用電話番号をダイヤルメモリ回路１４の格納領域１４ｂに格納して通話する。制御回路１１は通話終了後、キー入力制御回路１６がユーザによるボタン１５の入力を検出し（図３ステップＳ１）、ＬＣＤ制御回路１７の指示によってＬＣＤ１８に公衆網用電話番号の入力を促すメッセージを表示する（図３ステップＳ２）。例えば、このメッセージはＬＣＤ制御回路１７の指示によって「公衆網用電話番号の入力をお願いします」とＬＣＤ１８に表示される。
【００２５】
制御回路１１は上記のメッセージにしたがって公衆網用電話番号の入力終了を確認すると（図３ステップＳ３）、ダイヤルメモリ回路１４内の格納領域１４ｂに格納したＩＰ用電話番号が既にダイヤルメモリ回路１４内に格納済みかを検索する（図３ステップＳ４）。
【００２６】
制御回路１１はダイヤルメモリ回路１４内の格納領域１４ａにＩＰ用電話番号が設定されていなければ（図３ステップＳ５）、そのＩＰ用電話番号をダイヤルメモリ回路１４に設定する（図３ステップＳ７）。例えば、格納領域１４ｂに格納されているＩＰ用電話番号が「０５０２２２２２２２２」だった場合には、そのＩＰ用電話番号が格納領域１４ａに格納されていることになる。
【００２７】
制御回路１１はユーザによって入力された公衆網用電話番号が「０４７１２２２２２２」だった場合、その番号が既存設定と一致しているか否かを判断し（図３ステップＳ６）、一致していれば上記の設定処理を終了する。
【００２８】
一方、制御回路１１は入力された公衆網用電話番号が既存設定と一致していなければ（図３ステップＳ６）、ＩＰ用電話番号と対応付けられている格納領域１４ａのエリアに「０４７１２２２２２２」を設定する（図３ステップＳ７）。
【００２９】
制御回路１１はダイヤルメモリ回路１４内の格納領域１４ｂに格納されているＩＰ用電話番号が「０５０４４４４４４４４」だった場合、ダイヤルメモリ回路１４内を検索すると（図３ステップＳ４）、設定なしと判断されるので（図３ステップＳ５）、ダイヤルメモリ回路１４内の格納領域１４ｂに格納されているＩＰ用電話番号「０５０４４４４４４４４」を格納領域１４ａの空いているＩＰ用電話番号エリアに格納し、上記のステップＳ３で入力された公衆網用電話番号が例えば「０４７１４４４４４４」だった場合、格納領域１４ａの空いておりかつ上記のＩＰ用電話番号エリアに対応する公衆網用電話番号エリアに「０４７１４４４４４４」を格納する（図３ステップＳ７）。
【００３０】
ＡＤＳＬモデム１の制御回路１１はユーザが自動発信モード設定のボタン１５を押下すると、キー入力制御回路１６がその設定キーの入力を検出し、自動発信モードをＯＮに設定する。
【００３１】
制御回路１１はユーザが発信したＩＰ用電話番号をダイヤルメモリ回路１４の格納領域１４ｂに格納する（図４ステップＳ１１）。例えば、ユーザが「０５０１１１１１１１１」と発信した場合、「０５０１１１１１１１１」が格納領域１４ｂに格納される。
【００３２】
制御回路１１はＳＩＰ制御回路１３の指示によって、ＩＰ用電話番号で発信したＩＮＶＩＴＥメッセージに対するレスポンスをチェックし（図４ステップＳ１２）、レスポンス値が「ＮＯＴ  Ｆｏｕｎｄ」、「Ｆｏｒｂｉｄｄｅｎ」を受信した場合、発信したＩＰ用電話番号がダイヤルメモリ回路１４内に格納されているかをチェックする（図４ステップＳ１３）。
【００３３】
例えば、ＩＰ用電話番号「０５０１１１１１１１１」でＩＰ発信を行った場合には、ダイヤルメモリ回路１４内の格納領域１４ａにＩＰ用電話番号が見つかり、ＩＰ用電話番号「０５０４４４４４４４４」でＩＰ発信を行った場合には、ダイヤルメモリ回路１４内にＩＰ用電話番号が見つからない。ＩＰ用電話番号「０５０４４４４４４４４」でＩＰ発信を行った場合には、ＢＴ（ビジートーン）を送出して発信処理を終了する。
【００３４】
制御回路１１はダイヤルメモリ回路１４内にＩＰ用電話番号を見つけた場合、ＩＰ電話番号と対応付けて格納されている公衆網用電話番号のエリアに格納されているかをチェックする（図４ステップＳ１４）。
【００３５】
制御回路１１は回線制御回路１２の指示によって、ＩＰ発信が可能な状況かを判断し（図４ステップＳ１５）、ＩＰ発信が可能な場合、回線制御回路１２の指示によってＳＬＩＣを公衆網側（図示せず）に設定し（図４ステップＳ１６）、公衆網用電話番号で発信する（図４ステップＳ１７）。
【００３６】
制御回路１１はＩＰ発信が不可能な状態ならば（図４ステップＳ１５）、ＳＬＩＣが公衆網側に設定されているため、公衆網用電話番号で発信する（図４ステップＳ１７）。
【００３７】
例えば、ＩＰ用電話番号「０５０１１１１１１１１」の場合には、ＩＰ用電話番号に対応付けられた公衆網用電話番号が格納領域１４ａに格納されている「０４７１１１１１１」となるので、回線制御回路１２の指示によって、ＳＬＩＣ制御を公衆網側に設定し、公衆網用電話番号「０４７１１１１１１」で発信する。
【００３８】
このように、本実施例では、アナログ回線を共用するＡＤＳＬ回線においてＩＰ電話サービスを利用して通話できる相手が公衆網用電話番号とＩＰ用電話番号とを持っている場合、通話したい相手がレジストリ登録に失敗して使用することができない時や、停電のために使用することができない時、予めＩＰ用電話番号に対応付けている公衆網用電話番号にて自動的に発信することができる。
【００３９】
また、本実施例では、ＩＰ用電話番号で発信して通話できなかった時に、通話したい相手が使用中でビジーが要因で通話できないのか、ＩＰ電話の使用不可が要因で通話できないのかを、通信ログを検証することなく、自動的に判断することができる。
【００４０】
本実施例では、ＩＰ用電話番号に発信して通話切断した場合に、ユーザに公衆網用電話番号を続けて設定する手順としているが、発信したＩＰ用電話番号をダイヤルメモリ回路１４内に格納し、別手順で格納しているＩＰ用電話番号をＬＣＤ１８に順次表示させ、対応付けて公衆網用電話番号を入力させて設定させることもできる。
【００４１】
また、本実施例ではＳＩＰプロトコルでＩＮＶＩＴＥメッセージに対するレスポンスが「ＮＯＴ  Ｆｏｕｎｄ」、「Ｆｏｒｂｉｄｄｅｎ」の場合としているが、その他のエラー値でも公衆網用電話番号で発信することが可能である。
【図面の簡単な説明】
【００４２】
【図１】本発明の一実施例によるＡＤＳＬモデムの構成例を示すブロック図である。
【図２】図１のダイヤルメモリ回路内の格納状態を示す図である。
【図３】本発明の一実施例によるＡＤＳＬモデムの発信者番号情報設定の動作を示すフローチャートである。
【図４】本発明の一実施例によるＡＤＳＬモデム１の自動発信モードＯＮ時の動作を示すフローチャートである。
【符号の説明】
【００４３】
１  ＡＤＳＬモデム
１１  制御回路
１２  ＳＬＩＣ制御回路
１３  ＳＩＰ制御回路
１４  ダイヤルメモリ回路
１５  ボタン
１６  キー入力制御回路
１７  ＬＣＤ制御回路
１８  ＬＣＤ
１９  記録媒体
【図１】
2005244377.tif 000003
【図２】
2005244377.tif 000004
【図３】
2005244377.tif 000005
【図４】
2005244377.tif 000006